(57)【要約】【課題】メディアから画像データを取得する処理を中断して、他のメディアから画像データを取得した後には、先に取得した画像データが無駄にならない処理を行う画像処理装置を構成する。【解決手段】メディアドライブ１６に半導体型メディアＭｓをセットして画像データを取得する処理が中断され、他のメディアＭから画像データを取得する処理が行われた後に、画像データの取得が中断された半導体型メディアＭｓを再度、メディアドライブ１６にセットした場合には、既に取得している画像データを除く画像データの取得を自動的に再開する画像データ取得手段３３を備えた。【選択図】図３
2008312122.tif 000002
【特許請求の範囲】
【請求項１】
画像データ取得部にセットされたメディアからデジタル信号化された画像データを取得して記憶部に記憶する画像データ取得手段を備えている画像処理装置であって、
前記画像データ取得手段は、前記画像データ取得部にセットされたメディアから取得した複数コマの画像データを前記記憶部に記憶する画像取得処理を実行すると共に、この画像取得処理において前記複数コマの全ての画像データの取得が完了する以前に画像データの取得の中断を許容し、この中断の後に、前記画像データ取得部に前記メディアがセットされていることを判別した場合には、そのメディアから取得した識別情報と、前記記憶部に記憶されている画像データに対応する識別情報とを比較し、一致することを判別した際に、前記画像取得処理によって前記メディアから既に取得されている画像データを除いた画像データを取得し、前記記憶部に記憶する再取得処理を実行する画像処理装置。
【請求項２】
前記画像データ取得部が、前記メディアから画像データを取得するメディアドライブで構成され、前記画像データ取得手段は、このメディアドライブにセットされたメディアにおけるデータの記憶形態の情報を前記識別情報として取得する識別情報取得モジュールを備えている請求項１記載の画像処理装置。
【請求項３】
前記画像データ取得手段は、前記画像取得処理において前記記憶部に形成したフォルダに対してメディアから取得した画像データのファイルを記憶する記憶処理モジュールを備えると共に、
前記中断の後に、前記メディアドライブにメディアがセットされていることを判別した場合に、そのメディアから前記識別情報取得モジュールが取得した識別情報と、前記記憶部に形成されているフォルダから取得した識別情報とを比較するメディア比較モジュールを備え、このメディア比較モジュールで識別情報が一致することが判別された場合には、前記記憶処理モジュールが前記再取得処理を実行する請求項２記載の画像処理装置。
【請求項４】
前記再取得処理において、画像データ取得部にセットされたメディアに記憶されている画像データのファイルの情報と、前記記憶部に既に記憶されている画像データのファイルの情報とを比較するファイル比較モジュールを備え、
前記再取得処理では、前記ファイル比較モジュールでの比較によってファイル情報が一致すると判定したものを除外した画像データのファイルを前記メディアから取得する請求項１〜３のいずれか１項に記載の画像処理装置。
【請求項５】
前記画像データ取得手段で取得した画像データから、プリント処理に適した画像データを生成するプリントデータ生成手段を備え、このプリントデータ生成手段で生成された画像データをプリント部に伝送する画像データ伝送ユニットを備えている請求項１〜４のいずれか１項に記載の画像処理装置。
【発明の詳細な説明】
【技術分野】
【０００１】
本発明は、画像データ取得部にセットされたメディアからデジタル信号化された画像データを取得して記憶部に記憶する画像データ取得手段を備えている画像処理装置に関し、詳しくは、メディアから画像データを取得する技術に関する。
【背景技術】
【０００２】
上記のように構成された画像処理装置として、プリント用の画像データを取得する受付装置を例に挙げると、画像情報（本発明では画像データ）を取得するメディアドライブ（本発明の画像データ取得部）と、操作情報を取得するようにタッチパネルを有するディスプレイとを備え、顧客がメディアドライブに複数の記憶媒体（本発明ではメディア）を順次セットし、ディスプレイに表示された情報に従って操作を行うことにより、この複数の記憶媒体から画像情報を取得し、取得した画像情報の処理を行えるように構成されたものが存在する（例えば、特許文献１）。
【０００３】
この特許文献１では、プリントを注文するために記憶媒体を受付装置のメディアドライブにセットした際には、記憶媒体から複数コマの画像情報が取得された後に、取得された画像情報がサムネイル形式でディスプレイに表示され、このディスプレイにおいて、画像情報毎（コマ毎）にプリント枚数を設定し、この設定が完了した時点で、注文の続行の有無を確認する画面がディスプレイに表示される。この画面において注文の続行を選択し、記憶媒体をメディアドライブにセットすることで、記憶媒体の画像情報が更に取得された後に、取得された画像情報がサムネイル形式でディスプレイに表示され、前述と同様に注文を行えるものである。
【０００４】
【特許文献１】特開２００３‐１２１９４６号公報（段落番号〔００２７〕〜〔００３９〕、図８、図１６、図１７）
【発明の開示】
【発明が解決しようとする課題】
【０００５】
画像処理装置としてＤＰ店に設置された写真プリント装置を考えると、ＤＰ店での作業では、デジタルカメラで撮影に使用されたメディアから画像データを取得してプリント処理を行う場合でも、早急な仕上げを要求されるものと、仕上げまでに比較的時間の余裕があるものとが存在する。
【０００６】
具体的には、店の営業方針にもよるものであるが、例えば、サービスサイズと称される決まったサイズのプリントのオーダを受けた場合には、早急な仕上げが要求される。しかしながら、複数のサイズのプリントを必要とするオーダや、アルバムを作成するためテンプレート等の画像の加工を必要とするオーダや、ＣＤ−Ｒに画像データを記録して電子アルバムを作成するオーダでは、仕上げまでに時間の余裕があることが多い。
【０００７】
このような理由から、仕上げまでに時間の余裕があるオーダの作業において、メディアから画像データを取得している際に、早急な仕上げを要求されるオーダを割り込ませることも従来から行われていた。
【０００８】
しかしながら、従来からの写真プリント装置では、画像データを取得する処理の途中において、その処理を中断して他のオーダを割り込ませた場合には、先に取得していた画像データが失われるものであった。このような理由から、割り込んだオーダの画像データの取得が完了した後に、先に行った処理を再び行う場合には、画像データの取得を最初から行わねばならず、先に行われていた処理が無駄になり、改善が望まれていた。
【０００９】
本発明の目的は、メディアから画像データを取得する処理を中断して、他のメディアから画像データを取得する処理を行った場合でも、先に行った処理が無駄にならない画像処理装置を合理的に構成する点にある。
【課題を解決するための手段】
【００１０】
本発明の特徴は、画像データ取得部にセットされたメディアからデジタル信号化された画像データを取得して記憶部に記憶する画像データ取得手段を備えている画像処理装置において、
前記画像データ取得手段は、前記画像データ取得部にセットされたメディアから取得した複数コマの画像データを前記記憶部に記憶する画像取得処理を実行すると共に、この画像取得処理において前記複数コマの全ての画像データの取得が完了する以前に画像データの取得の中断を許容し、この中断の後に、前記画像データ取得部に前記メディアがセットされていることを判別した場合には、そのメディアから取得した識別情報と、前記記憶部に記憶されている画像データに対応する識別情報とを比較し、一致することを判別した際に、前記画像取得処理によって前記メディアから既に取得されている画像データを除いた画像データを取得し、前記記憶部に記憶する再取得処理を実行する点にある。
【００１１】
この構成によると、画像データ取得部にセットされたメディアから画像データ取得手段が画像データを取得して記憶部に記憶する画像取得処理が行われる。また、この画像取得処理において複数コマの画像データの取得を中断して、割り込み取得処理等が行われた後に、前記中断された際のメディアが画像データ取得部に再びセットされた場合のように、画像データ取得部にメディアが存在することが判別された際には、画像データ取得手段は、メディアから取得した識別情報と、記憶部に記憶されている画像データに対応する識別情報とが一致することを判別することになり、そのメディアから既に取得している画像データを除いた画像データを、そのメディアから取得して記憶部に記憶する再取得処理が実行される。その結果、メディアから画像データを取得する処理を中断して、他のメディアから画像データを取得する処理を行った場合でも、先に行った処理が無駄にならない画像処理装置が合理的に構成された。
【００１２】
本発明は、前記画像データ取得部が、前記メディアから画像データを取得するメディアドライブで構成され、前記画像データ取得手段は、このメディアドライブにセットされたメディアにおけるデータの記憶形態の情報を前記識別情報として取得する識別情報取得モジュールを備えても良い。これによるとメディア自身の使用領域、空き領域等のメディアの記憶形態、あるいは、メディアに記憶されている画像データのファイル名やファイル番号、ファイルのデータ量、撮影日時等、画像データに付随する情報等の記憶形態に基づいてメディア毎に識別情報を取得することが可能となり、メディア固有の情報が記憶されていないメディアでも、メディア毎の識別を可能にする。
【００１３】
本発明は、前記画像データ取得手段は、前記画像取得処理において前記記憶部に形成したフォルダに対してメディアから取得した画像データのファイルを記憶する記憶処理モジュールを備えると共に、前記中断の後に、前記メディアドライブにメディアがセットされていることを判別した場合に、そのメディアから前記識別情報取得モジュールが取得した識別情報と、前記記憶部に形成されているフォルダから取得した識別情報とを比較するメディア比較モジュールを備え、このメディア比較モジュールで識別情報が一致することが判別された場合には、前記記憶処理モジュールが前記再取得処理を実行しても良い。これによると、割り込み処理の後にメディアドライブに対してメディアがセットされた場合には、記憶部に形成されているフォルダのうち、再取得処置においてメディアの画像データが記憶されるべきフォルダが存在するのか否かの判別が可能となる。
【００１４】
本発明は、前記再取得処理において、画像データ取得部にセットされたメディアに記憶されている画像データのファイルの情報と、前記記憶部に既に記憶されている画像データのファイルの情報とを比較するファイル比較モジュールを備え、前記再取得処理では、前記ファイル比較モジュールでの比較によってファイル情報が一致すると判定したものを除外した画像データのファイルを前記メディアから取得しても良い。これによると、再取得処理を行う際に、オペレータが人為的に画像データを指定する等の操作を行わずとも、取得されていない画像データのファイルを取得して記憶部に記憶できる。
【００１５】
本発明は、前記画像データ取得手段で取得した画像データから、プリント処理に適した画像データを生成するプリントデータ生成手段を備え、このプリントデータ生成手段で生成された画像データをプリント部に伝送する画像データ伝送ユニットを備えても良い。これによると、例えば、写真プリント装置においてメディアから取得した画像データからプリント処理に適した画像データをプリント部に伝送してプリント処理を実現できる。
【発明を実施するための最良の形態】
【００１６】
以下、本発明の実施形態を図面に基づいて説明する。
〔全体構成〕
図１に示すようにオペレート部Ａとプリント部Ｂとを備えて写真プリント装置が構成されている。前記オペレート部Ａは、コンソール部１０に対して写真フィルムＦ（メディアの一例）のコマ画像を光電変換によりデジタル信号化された画像データとして取得するフィルムスキャナ１１と、各種情報を表示するモニタ１２と、取得した画像データの補正やトリミング等の処理や、画像データをプリントに適した画像データに変換する処理等の各種処理を実現するコンピュータで成る画像処理装置１３とを配置し、コンソール部１０の上面にはキーボードＫＢと、ポインティングデバイスとして機能するマウス１５とを備えている。
【００１７】
前記画像処理装置１３には、半導体型メディアＭｓからデジタル信号化された画像データを取得するメディアドライブ１６と、ディスク型メディアＭｄからデジタル信号化された画像データを取得するメディアドライブ１７とを備えている。このメディアドライブ１６、１７と、前記フィルムスキャナ１１とで本発明の画像データ取得部が構成されている。
【００１８】
尚、半導体型メディアＭｓとして、コンパクトフラッシュ（Compact Flash・商標）、ＳＤメモリカード（SD memory card・商標）、メモリースティック(Memory Stick・商標)等を想定しており、ディスク型メディアＭｄとしてＣＤ（Compact Disc）、ＣＤ−Ｒ（ＣＤ−Recordable）、ＭＯ（Magnet Optical Disk）等を想定している。
【００１９】
前記プリント部Ｂは、筐体２０の内部においてプリントサイズに切断した銀塩式の印画紙Ｐを露光部に搬送し、この露光部においてレーザビームにより画像データの露光を行い、この露光後の印画紙Ｐを現像処理槽に搬送して現像処理を行い、次に、現像処理が行われた印画紙の乾燥処理を行い、筐体２０の上部から水平方向に送り出し、更に、この印画紙Ｐを搬送ベルト２１からソータ２２の複数のトレイ２３に対してオーダ単位で仕分けて集積するよう構成されている。
【００２０】
前記画像処理装置１３は、前述のようにフィルムスキャナ１１によって取り込んだ画像データ、あるいは、前記メディアドライブ１６、１７を介してメディアＭ（半導体型メディアＭｓ、ディスク型メディアＭｄの上位概念）から取り込んだ画像データを半導体メモリ３１や、ハードディスクＨＤ（図２を参照）等のストレージに記憶する処理を行うと共に、プリント対象となる画像データをモニタ１２に表示し、前記キーボードＫＢを介してオペレータが入力する情報に基づいてプリント枚数やプリントサイズ等のオーダデータの設定と、マニュアル補正とを実現する。
【００２１】
〔キーボード〕
図２に示すように、前記キーボードＫＢは、前記モニタ１２に表示された複数コマの画像データの何れかを選択する際にカーソルを縦横に移動させる４つのカーソルキー１と、色補正を行う際に補正色を指定するイエロー（Ｙ）、マゼンタ（Ｍ）、シアン（Ｃ）に対応した色補正選択キー２と、濃度補正を選択する濃度補正選択キー３と、補正量やプリント枚数を増大するインクリメントキー４と、補正量やプリント枚数を低減するデクリメントキー５と、これらの数値を初期値に設定するニュートラルキー６と、ファンクションキー７と、プリントを実行する実行キー８と、処理を一時的に停止する停止キー９とを備えている。同図に示す如く夫々のキーのキートップには、そのキー機能を示す文字や記号やシンボルが視認可能な形態でプリントされている。
【００２２】
〔制御構成〕
この写真プリント装置の制御系の概要を図３のように示している。つまり、前記画像処理装置１３は、入出力インタフェース３０と、この入出力インタフェース３０（Ｉ／Ｏ）からの情報を処理するマイクロプロセッサＣＰＵとを備えている。前記入出力インタフェース３０は、前記モニタ１２、キーボードＫＢ、マウス１５、フィルムスキャナ１１、メディアドライブ１６、１７、ハードディスクＨＤ（記憶部の一例）、通信ユニット１８（画像データ伝送ユニットの一例）夫々との間で情報がアクセスする。また、ＣＰＵのデータバスに対してＲＡＭ等で成る半導体メモリ３１（記憶部の一例）、オペレーティングシステム３２、画像データ取得手段３３、オーダデータ取得手段３４、プリントデータ生成手段３５、補正処理手段３６、加工処理手段３７、プリント実行手段３８夫々の間で情報がアクセスする。
【００２３】
オペレーティングシステム３２、画像データ取得手段３３、オーダデータ取得手段３４、プリントデータ生成手段３５、補正処理手段３６、加工処理手段３７、プリント実行手段３８夫々は前記半導体メモリ３１に展開されるソフトウエアを想定しているが、ロジック等のハードウエアで構成して良く、また、ハードウエアとの組み合わせによって構成しても良い。
【００２４】
前記オペレーティングシステム３２は、半導体メモリ３１を管理すると共に、ソフトウエアを半導体メモリ３１に展開して処理の実行を可能にするものであり、また、このオペレーティングシステム３２は、前記キーボードＫＢやマウス１５の情報を取得して、実行中の処理に与えるインタフェースとしても機能する。前記画像データ取得手段３３は、前記フィルムスキャナ１１あるいはメディアドライブ１６、１７から画像データを取得する（取得の詳細は後述する）。
【００２５】
前記オーダデータ取得手段３４は、モニタ１２に対して図９に示すプレジャッジ画面６０を表示し、この画面の表示に基づいてオペレータがプリント処理に必要な情報の入力と、前記補正処理手段３６による補正処理とを実現する。
【００２６】
また、前記加工処理手段３７は、オペレータが指定した画像データとテンプレートとの合成、画像データのトリミング等の加工処理を実現する。前記プリント実行手段３８は、前記プレジャッジ画面６０によってプリント対象に指定された画像データ（加工処理手段３７で加工された画像データを含む）前記プリント部Ｂに伝送してプリント処理を実現する。
【００２７】
〔画像処理装置の処理の特徴〕
本発明の画像処理装置１３では、半導体型メディアＭｓ、あるいは、ディスク型メディアＭｄから複数コマの画像データを取得するために、画像データ取得部（メディアドライブ１６、１７の上位概念）にメディアＭ（半導体型メディアＭｓ、ディスク型メディアＭｄの上位概念）をセットして画像データの取得を開始した後に、オペレータが所定の操作を行うことにより、この画像データの取得を中断して、この処理に割り込む形態で他のメディアＭから画像データを取得する割り込み取得処理を許容すると共に、他のメディアＭから画像データを取得した後に、元のメディアＭ（画像データの取得が中断されたメディアＭ）を再びセットした場合には、メディアＭから既に取得している画像データを除いた画像データの取得を再開するように構成されている。
【００２８】
本発明では、前記割り込み取得処理において画像データを取得するメディアＭの種類が、この割り込み取得処理が行われる直前に画像データの取得を行っていたメディアＭの種類とが同一である必要はなく、例えば、半導体型メディアＭｓをメディアドライブ１６にセットして画像データを取得する画像取得処理を中断した後に、ディスク型メディアＭｄをメディアドライブ１７にセットして割り込み取得処理を行うものであっても良い。
【００２９】
尚、割り込み取得処理に用いられるメディアＭの種類が、先に画像データの取得が行われていたメディアと異なる場合には、先に画像データの取得が行われていたメディアドライブ１６、１７等からメディアＭを取り外す必要がない場合もあり、このように取り外しが行われない場合には、この中断の後には、メディアドライブ１６，１７等に既にセットされているメディアＭから画像データの取得を再開する処理が行われる。
【００３０】
この処理を実現するため、前記画像データ取得手段３３は図４に示す如く、メディアＭにおけるデータの記憶形態の情報を前記識別情報として取得する識別情報取得モジュール３３Ａと、このように取得した識別情報とハードディスクＨＤに記憶されている画像データのフォルダから取得した識別情報とを比較して一致、不一致を判定するメディア比較モジュール３３Ｂと、メディアＭに記憶されている画像データのファイルとハードディスクＨＤに記憶されている画像データのファイルとの比較を行うファイル比較モジュール３３Ｃと、メディアＭに記憶されている複数コマの画像データのうちハードディスクＨＤに記憶されているものを除いた画像データを、記憶対象に設定する記憶対象設定モジュール３３Ｄと、メディアＭに記憶されている画像データをハードディスクＨＤに記憶する記憶処理モジュール３３Ｅとを備えている。
【００３１】
また、この画像データ取得手段３３に付随して、画像データを取得する際の情報を前記モニタ１２に表示するダイアログ表示モジュール３３Ｆと、モニタ１２に表示されたダイアログに入力された情報を記憶処理モジュール３３Ｅに与えるＧＵＩモジュール３３Ｇとを備えている。
【００３２】
この処理では、メディアＭから取得した画像データをハードディスクＨＤに記憶する処理形態が示されているが、ハードディスクＨＤに代えて半導体メモリ３１に画像データを記憶するように処理形態を設定しても良い。
【００３３】
デジタルカメラにおいて撮影に使用された半導体型メディアＭｓでは、画像データがファイルとして記憶され、夫々のファイルには数値や符号で成る名称が付されると共に、ファイルのヘッダー領域にはファイルのサイズやファイルが作成された日時、あるいは、タグ情報として撮影日時や撮影時の情報等の情報が記憶されている。
【００３４】
また、メディアＭから取得された画像データのファイルが、ハードディスクＨＤ、あるいは、半導体メモリ３１に対して記憶される際には、ハードディスクＨＤ、あるいは、半導体メモリ３１の記憶領域にフォルダが生成され、そのフォルダ内に画像データのファイルが記憶される。このように記憶される際にファイルに付随する情報は失われることはなく、ファイルのデータ量が変化することもない。
【００３５】
このような理由から、前記メディア比較モジュール３３Ｂは、ファイルに記憶されているファイルの数やファイルのデータ量等からフォルダの識別情報を取得することになる。尚、このフォルダにはフォルダ名が付されるが、このフォルダ名は識別情報として用いられることはない。
【００３６】
〔画像データの取得処理〕
前記画像データ取得手段３３による画像データの取得時の処理（画像データ取得処理）を図７のフローチャートのように示し、画像データ取得手段３３での情報の流れを図４に示すように示すことが可能である。この処理では、メディアドライブ１６に対して半導体型メディアＭｓがセットされた際に、その半導体型メディアＭｓから画像データをハードディスクＨＤに記憶する際の処理形態を例に挙げて説明する。
【００３７】
つまり、メディアドライブ１６に半導体型メディアＭｓがセットされた場合には、半導体型メディアＭｓの識別情報を取得する（＃１０１ステップ）。
【００３８】
この処理では、識別情報取得モジュール３３Ａが半導体型メディアＭｓの使用領域、空き領域等の半導体型メディアＭｓの記憶状態に関連する情報、あるいは、この半導体型メディアＭｓに記憶されている画像データのファイル名、ファイル毎のデータ量、ファイルに付された撮影日時等の情報を識別情報として取得することになる。
【００３９】
次に、半導体型メディアＭｓから取得した識別情報と、ハードディスクＨＤに存在する全てのフォルダから取得した識別情報との比較を行い、半導体型メディアＭｓの識別情報と同じ識別情報を有するフォルダの存否が判断され、識別情報と同じ情報を有するフォルダがハードディスクＨＤに存在しないことか判定された場合には、画像データ取得ルーチンの処理に移行する（＃１０２、＃１０３、＃２００ステップ）。
【００４０】
前述したようにハードディスクＨＤに形成されたフォルダに対して、メディアＭから取得した画像データのファイルを保存する際には、画像データのファイルに付随する情報が失われることはなく、ファイルのデータ量が変化することもない。更に、デジタルカメラの撮影によって生成された画像データのファイルには撮影順序に従う番号がファイル名として付されるものであり、画像データ取得手段３３（記憶処理モジュール３３Ｅ）で画像データのファイルをフォルダに記憶する際には、ファイル名の順序（番号の順序）に従って画像データのファイルが取得され、フォルダ内に記憶されるため、画像データの取得を中断した時点において、フォルダ内に存在する画像データのファイル数を特定するだけで、そのフォルダから取得した識別情報と、メディアＭから取得した識別情報との比較を容易に行えるのである。
【００４１】
半導体型メディアＭｓから識別情報取得モジュール３３Ａが取得した識別情報と、ハードディスクＨＤに存在する全てのフォルダに付された識別情報との比較は、メディア比較モジュール３３Ｂが行う。この画像処理装置１３において、画像データが初めて取得される半導体型メディアＭｓをメディアドライブ１６にセットした場合には、半導体型メディアＭｓから取得した識別情報と同じ識別情報が付されたフォルダがハードディスクＨＤに存在しないので、存在しないことを示す情報が前記記憶処理モジュール３３Ｅに与えられることにより、画像所得処理を実現する画像データ取得ルーチン（＃２００ステップ）が実行される。
【００４２】
〔画像データの取得処理−画像データ取得ルーチン〕
＃２００ステップの画像データ取得ルーチンが、図８に示す如くサブルーチンとしてセットされており、この処理では、図５に示す入力ダイアログ４０をモニタ１２に表示してオーダ名を取得する（＃２０１ステップ）。
【００４３】
前記入力ダイアログ４０は、前記ダイアログ表示モジュール３３Ｆがモニタ１２に表示するものであり、この入力ダイアログ４０には、画像データの取得の実行を認識させるメッセージが表示されると共に、オーダ名入力領域４１と、キャンセルボタン４２と、ＯＫボタン４３とが形成されている。オーダ名入力領域４１に対して顧客の名前のオーダ名等を入力し、ＯＫボタン４３を操作することにより、この操作をＧＵＩ３３Ｇが取得し、前記記憶処理モジュール３３Ｅに与えることにより、オーダ名を付したフォルダがハードディスクＨＤに生成されると共に、メディアドライブ１６にセットされた半導体型メディアＭｓから画像データを取得して、そのフォルダ内に記憶する処理が開始される。
【００４４】
尚、オーダ名入力領域４１には、オーダ名として数値やアルファベットで成る初期値が表示されるものであり、この初期値をオーダ名として用いることも可能である。また、オーダ名を文字情報で入力する場合には、文字入力が可能なキーボード（図示せず）を用いて情報を入力することになる。前記キャンセルボタン４２と、ＯＫボタン４３との操作は、マウス１５の操作でモニタ１２の画面に表示されているカーソルで選択し、マウス１５のスイッチをクリックすることになる。
【００４５】
また、メディアドライブ１７に対して、ＣＤやＭＯやＦＤ等のディスク型メディアＭｄをセットして画像データを取得する際にも、前述と同様に入力ダイアログ４０が表示され、この入力ダイアログ４０に対してオーダ名を入力することにより画像データを取得する処理に移行する。
【００４６】
画像データの取得が開始されると、図６に示す取得ダイアログ４５をモニタ１２に表示して、半導体型メディアＭｓから画像データのファイルを前述した順序で取得し、取得した画像データのファイルを、フォルダ内に記憶する処理が行われる（＃２０２〜＃２０４ステップ）。
【００４７】
前述したようにハードディスクＨＤの記憶領域にフォルダを生成する処理は、前記記憶処理モジュール３３Ｅが実現する。前記取得ダイアログ４５には、画像データの取得が開始されたことを認識させるメッセージがモニタ１２に表示されると共に、インジケータ部４６と、中断ボタン４７と、キャンセルボタン４８とが形成されている。
【００４８】
この取得ダイアログ４５は、前記ダイアログ表示モジュール３３Ｆが表示を行うものであり、前記インジケータ部４６には、画像データの取得の進捗の程度を示す情報（取得した画像データのコマ数に対応した情報）がバーグラフ的なイメージ４６Ａで表示される。また、前記中断ボタン４７あるいはキャンセルボタン４８の操作は、前記ＧＵＩモジュール３３Ｇが取得し、前記記憶処理モジュール３３Ｅに与える。そして、前記中断ボタン４７を操作した場合には、既に取得している画像データをハードディスクＨＤに記憶したまま画像データの取得を中断し、キャンセルボタン４８を操作した場合には、既に取得している画像データを削除する形態で画像データの取得が停止する。
【００４９】
これらの操作においても、前記入力ダイアログ４０と同様に、マウス１５の操作でモニタ１２の画面に表示されているカーソルで選択し、マウス１５のスイッチをクリックすることになる。
【００５０】
＃２０４ステップにおいて画像取得処理の主要な処理が行われ、このように画像データの取得を開始した後には、半導体型メディアＭｓから画像データのファイルを取得してハードディスクＨＤのフォルダに記憶する処理が継続的に行われ、この記憶の進捗に対応したイメージ４６Ａが前記インジケータ部４６に表示される。そして、画像データのファイルの全てを取得し、フォルダ内に記憶する処理が完了した時点で、この画像データ取得ルーチンが終了する（＃２０４〜＃２０６ステップ）。
【００５１】
この画像取得処理は、前記記憶処理モジュール３３Ｅが実行するものであり、半導体型メディアＭｓの画像データのファイルをコピーして、ハードディスクＨＤに形成されたフォルダ内に書込む処理が行われる。
【００５２】
この画像データの取得が完了する以前に前記中断ボタン４７が操作された際には、割り込み取得処理を実行する（＃２０５、＃２０７ステップ）。尚、フローチャートには示していないが、この画像データの取得が完了する以前に前記キャンセルボタン４８が操作された場合には、ハードディスクＨＤに形成したフォルダを消去することにより、フォルダ内の画像データも消去するデータ消去処理を行い、終了する処理が行われる。
【００５３】
前記割り込み取得処理（＃２０７ステップ）の処理はフローチャートとして示していないが、この画像データ取得ルーチン（＃２００ステップ）で示した各ステップと基本的に同じ処理が行われる。つまり、中断の後に、新たにメディアＭをメディアドライブにセットした場合には、前記入力ダイアログ４０がモニタ１２に表示され、この入力ダイアログ４０の表示に従ってオーダ名を入力する操作を行った後に、ＯＫボタン４３を操作することにより、前述と同様に画像データを取得する処理が行われるのである。
【００５４】
この割り込み取得処理（＃２０７ステップ）では、既にセットされている半導体型メディアＭｓに代えて、同じメディアドライブ１６に新たに半導体型メディアＭｓをセットするものであっても、メディアドライブ１７に対してディスク型メディアＭｄをセットするものであっても良い。この割り込み取得処理（＃２０７ステップ）では、＃２０４ステップでの処理によって既に取得されている画像データをフォルダと共にハードディスクＨＤに記憶する状態が維持される。
【００５５】
〔画像データの取得処理−＃１０４ステップ以降〕
図７に示す前記＃１０３ステップにおいて、半導体型メディアＭｓから取得した識別情報と同じ情報を有するフォルダがハードディスクＨＤに存在することを判別した場合には、このハードディスクＨＤのフォルダ内に存在する画像データのファイルの情報と、メディアＭに記憶されている画像データのファイルの情報との比較を行い、ファイルの数と、ファイル個々の情報が完全に一致する場合には終了ダイアログ（図示せず）を表示して処理を終了する（＃１０４〜＃１０６ステップ）。
【００５６】
このようにハードディスクＨＤのフォルダ内に存在する画像データのファイルと、半導体型メディアＭｓに記憶されている画像データのファイルとの比較は前記ファイル比較モジュール３３Ｃが行い、夫々の画像データのファイルの数と、ファイルの情報とが完全に一致する場合には、全て同一の画像データのファイルが存在することを示すメッセージを含む終了ダイアログがモニタ１２に表示され、確認の後に処理を終了する。
【００５７】
この処理は、同じメディアＭを繰り返してセットした場合のように、同じメディアＭから同じ画像データを繰り返して取得する処理を回避するための処理であり、前記ファイル比較モジュール３３Ｃは、判別精度を高めるために、ファイルのヘッダー領域に記憶されているファイルのサイズやファイルが作成された日時、あるいは、Ｅｘｉｆ（Exchangeable Image File Format）と称されるタグ情報から撮影日時や撮影時の情報等の情報複数の情報を取得することで比較する処理を行うものである。尚、このファイル比較モジュール３３Ｃは、画像データのファイルの名称を比較する処理によって一致、不一致を判別するものであっても良い。
【００５８】
前記＃１０５ステップで複数コマの画像データの全てのファイルが完全に一致しない場合には、半導体型メディアＭｓから画像データのファイルを取得する処理が中断された後に、その半導体型メディアＭｓから画像データのファイルを取得する処理が可能になったと考えられるため、前記取得ダイアログ４５を表示して画像データの取得を再開すると共に、メディアＭから画像データのファイルを取得してハードディスクＨＤに既に存在するフォルダ内に記憶する処理を行い、前記インジケータ部４６では、既に取得している画像データのコマ数を示す位置を起点として、この記憶の進捗に対応した情報（取得した画像データのコマ数に対応した情報）のイメージ４６Ａの表示を行い、この画像データの取得が完了するまでこの処理を継続する（＃１０７〜＃１１１ステップ）。
【００５９】
画像データの取得が中断した後には、この＃１０７ステップがメディアＭから再び画像データを取得する再取得処理の主要な処理を行うものとなる。また、この再取得処理は、メディアドライブ１６に対して半導体型メディアＭｓが再びセットされたこと、あるいは、既にセットされていることが判別されると自動的に開始される。
【００６０】
この処理では、前記記憶対象設定モジュール３３Ｄが、前記ファイル比較モジュール３３Ｃから比較結果の情報を取得することにより、ハードディスクＨＤに記憶されていない（フォルダ内に存在しない）画像データを取得対象に設定し、前記記憶処理モジュール３３Ｅが半導体型メディアＭｓの画像データのファイルのうち、取得対象に設定されたものをコピーして、ハードディスクＨＤに既に形成されているフォルダ内に書込む処理が行われる。
【００６１】
この画像データの取得が完了する以前に前記中断ボタン４７が操作された場合には、割り込み取得処理を実行する（＃１０８、＃１１０ステップ）。
【００６２】
前記割り込み取得処理（＃１１０ステップ）の処理はフローチャートとして示していないが、前述と同様に、この画像データ取得ルーチン（＃２００ステップ）で示した各ステップと基本的に同じ処理が行われる。つまり、中断の後に、新たにメディアＭをメディアドライブにセットした場合には、前記入力ダイアログ４０がモニタ１２に表示され、この入力ダイアログ４０の表示に従ってオーダ名を入力する操作を行った後に、ＯＫボタン４３を操作することにより、前述と同様に画像データを取得する処理が行われるのである。
【００６３】
〔プレジャッジ画面〕
図９に示すように前記プレジャッジ画面６０が構成されている。このプレジャッジ画面６０には画像データを表示する複数の表示部６１が形成され、この画面の下方位置にオーダ情報表示部６２が形成され、夫々の表示部の下方位置にＹ（イエロー）、Ｍ（マゼンタ）、Ｃ（シアン）に対応した色補正選択ボタン６３と、濃度補正選択ボタン６４と、プリント枚数表示部６５とが形成され、表示部６１の上部位置に画像を特定するコマ表示部６６が形成され、更に、下部の隅にはプリントを開始するスタートボタン６７が形成されている。
【００６４】
このプレジャッジ画面６０は、前記オーダデータ取得手段３４の処理によってモニタ１２に表示されるものであり、このオーダデータ取得手段３４は、プリントを行えないものとして自動抽出された画像データ、あるいは、オペレータがプリントを行わないものとして設定した画像データに対しては、プレジャッジ画面６０の画像データの表示部６１に「Ｐａｓｓ」のメッセージを表示する。
【００６５】
このプレジャッジ画面６０をモニタ１２に表示した状態で、マニュアル補正によって色補正を行う場合には、オペレータがマウス１５の操作によってカーソル（図示せず）を３つの色補正選択ボタン６３の１つの位置に一致させてマウス１５のスイッチをクリックすることや、キーボードＫＢにおいて前記色補正選択キー２の１つを操作した後に、前記インクリメントキー４又はデクリメントキー５を操作することになる。前記補正処理手段３６は、このインクリメントキー４又はデクリメントキー５の操作回数を補正操作量として取得し、この補正操作量に前記補正係数を乗じた処理結果をシミュレートして表示部６１に出力する。
【００６６】
具体的に説明すると、マウス１５の操作でカーソルを濃度補正選択ボタン６４に一致させてマウス１５のスイッチをクリックすることや、キーボードＫＢの濃度補正選択キー３を操作した後に、インクリメントキー４又はデクリメントキー５を１回操作した際の補正量は前記補正データから取得した補正係数に対応したものであり、色補正を例に挙げると、インクリメントキー４又はデクリメントキー５を複数回操作した場合には、対応した３原色（Ｙ・Ｍ・Ｃ）の画像データのうち対応したものに対して、操作回数に補正係数を乗じた値を、その色相の画像データに更に乗ずる演算が行われる。
【００６７】
このように色補正を行う際に、前述したように色補正選択ボタン６３の１つを選択した場合や、色補正選択キー２の１つを選択した場合には、選択状態にあることを示すために、選択された色補正選択ボタン６３を反転表示することや、ブリンクさせることや、輪郭を強調する等の形態での表示が行われる。
【００６８】
前記３つの色補正選択ボタン６３と濃度補正選択ボタン６４は初期状態においてＮの文字が表示され、選択した状態でインクリメントキー４を１回操作した場合にはＮの文字に代えて＋１が表示され、更に１回操作した場合には＋２の文字が表示される。これと同様に、デクリメントキー５を１回操作した場合にはＮの文字に代えて−１が表示され、更に１回操作した場合には−２の文字が表示される。
【００６９】
尚、濃度補正を行う場合には、濃度補正選択ボタン６４を選択した後に、前記インクリメントキー４又はデクリメントキー５を操作することにより、前述と同様に、このインクリメントキー４又はデクリメントキー５の操作回数を補正操作量として取得し、この補正操作量に補正係数を乗じた補正結果をシミュレートして表示部６１に出力する。
【００７０】
操作形態は説明しないが、プレジャッジ画面６０の表示部６１に表示された画像データをカーソルで選択して、所定の操作を行うことにより、画像データの加工を許す画面（図示せず）が表示され、この画面においてトリミングを行うことや、テンプレートと合成することも可能となる。これらの処理は、前記加工処理手段３７が実現する。
【００７１】
このようにプレジャッジ画面６０において、プリント対象とする画像データが指定されたの後には、プレジャッジ画面６０のスタートボタン６７を操作する、あるいは、前記キーボードＫＢの実行キー８を操作することで、プリント対象に指定された画像データが、前記プリントデータ生成手段３５によってプリントサイズに適したデータ量の画像データに変換され、前記プリント実行手段３８が前記プリント部Ｂに伝送することでプリント処理が実現する。
【００７２】
〔写真フィルムからの画像データの取得〕
本発明ではメディアＭとして、現像済みの写真フィルムＦをフィルムスキャナ１１にセットし、光電変換によって画像データの取得を行う途中に、この画像データの取得を中断して他のメディアＭから画像データを取得するように処理を行っても良い。この処理を実現するために、フィルムスキャナ１１として、画像データを少ない画素数で高速で取得する（粗く取得する）プレスキャンを行った後に、画像データを多い画素数で取得する（高密度で取得する）本スキャンを行うものを必要とする。
【００７３】
フィルムスキャナ１１を用いて写真フィルムＦから画像データを取得する際には、オーダ名を人為的に設定することにより、ハードディスクＨＤにオーダ名を付したフォルダが形成され、フィルムスキャナ１１においてプレスキャンを行った後に、本スキャンを行うことによって取得した画像データのファイルが、そのフォルダ内に記憶される。この本スキャンで写真フィルムから画像データを取得する際には、写真フィルムＦの一方の端部から各コマの画像データを順次取得することになり、取得した画像データのファイルに対して記憶処理モジュール３３Ｅが、設定された順序となるファイル名（基本的には数字とアルファベットの組み合わせ等）を自動的に与えることになる。
【００７４】
そして、フィルムスキャナ１１で本スキャンによって画像データを取得する処理を中断して、他のメディアＭから画像データを取得した後には、フィルムスキャナ１１に写真フィルムをセットして画像データを取得する以前にオーダ名を設定し、プレスキャンを行うことにより、識別情報取得モジュール３３Ａが名称（識別情報の一例）を取得し、メディア比較モジュール３３Ｂが、ハードディスクＨＤにおいて同じ名称（識別情報の一例）のフォルダの存否を判別し、同じ名称のフォルダが存在する場合には、既に記憶されている画像データの数（コマ数）を取得し、このコマ数と、プレスキャンによって取得したコマ数とをファイル比較モジュール３３Ｃが比較し、記憶対象設定モジュール３３Ｄが取得されていないコマを取得対象に設定することにより、記憶処理モジュール３３Ｅが取得対象に設定されたコマの画像データのファイルを取得し、本スキャンによって取得した画像データ（取得対象の画像データ）のファイルを、ハードディスクＨＤに既に存在するフォルダ内に記憶する処理が行われる。
【００７５】
〔画像データの他の取得形態〕
本発明では、ＬＡＮやインターネット等の通信ネットワークを介して画像データを取得することも想定できるものであり、例えば、通信ネットワークを介して画像データを取得してプリント等の処理を割り込ませる場合には、先に行っている画像データの取得を中断して通信ネットワークから画像データを取得（割り込み取得処理）してプリント等の処理を実行し、この後に、先に行っていた画像データの取得を再開するように画像データ取得手段３３を構成しても良い。尚、このような処理の割り込みでは、前記メディアドライブ１６、１７等にメディアＭをセットしたまま、画像データの取得を中断しても良く、この中断の後には、メディアドライブ１６、１７等に既にセットされているメディアＭから画像データの取得を再開する処理が行われる。
【００７６】
〔発明の概念〕
このように、本発明では、例えば、半導体型メディアＭｓをメディアドライブ１６にセットして画像データの取得を開始した後には、この半導体型メディアＭｓから画像データの取得が完了する以前であっても、モニタ１２に表示されている入力ダイアログ４０の中断ボタン４７を操作することで画像データの取得を中断して、他のメディアＭから画像データを取得する処理を行えるものである。また、このように画像データの取得を中断して他のメディアＭ（半導体型メディアＭｓでもディスク型メディアＭｄでも良い）から画像データを取得した後に、元の半導体型メディアＭｓを再びセットした場合には、モニタ１２に対して再び入力ダイアログ４０が表示されると共に、半導体型メディアＭｓから既に取得している画像データを除いた画像データの取得が再開され、既に取得していた画像データを無駄にせず、画像データを取得するために無駄な時間を要することなく処理を行えるのである。
【００７７】
このような処理が可能であるため、仕上げまでに時間の余裕がある（優先度が低い）オーダにおいてメディアＭから画像データを取得している処理を中断して、早急な仕上げを要求されるオーダのメディアＭから画像データを取得してプリントを行わせるように処理を割り込ませることも可能となり、例えば、ＤＰ店においては処理時間を無駄にすることなく、迅速な処理も実現するものとなる。
【００７８】
特に、この発明では、メディアＭから画像データを取得している際には、画像データの取得が完了する以前であれば、画像データの取得を複数回中断して、他のメディアＭから画像データの取得を行えることも可能にしている。
【図面の簡単な説明】
【００７９】
【図１】写真プリント装置の斜視図
【図２】キーボードの平面図
【図３】制御系のブロック回路図
【図４】画像データ取得手段の構成を示すブロック図
【図５】入力ダイアログを示す図
【図６】取得ダイアログを示す図
【図７】画像データ取得処理のフローチャート
【図８】画像データ取得ルーチンのフローチャート
【図９】プレジャッジ画面を示す図
【符号の説明】
【００８０】
１１          画像データ取得部（フィルムスキャナ）
１６、１７    画像データ取得部（メディアドライブ）
１８          画像データ伝送ユニット（通信ユニット）
３１          記憶部（半導体メモリ）
３３          画像データ記憶手段
３３Ａ        識別情報取得モジュール
３３Ｂ        メディア比較モジュール
３３Ｃ        ファイル比較モジュール
３３Ｅ        記憶処理モジュール
３５          プリントデータ生成手段
Ｂ            プリント部
Ｍ            メディア
ＨＤ          記憶部（ハードディスク）
【図１】
2008312122.tif 000003
【図２】
2008312122.tif 000004
【図３】
2008312122.tif 000005
【図４】
2008312122.tif 000006
【図５】
2008312122.tif 000007
【図６】
2008312122.tif 000008
【図７】
2008312122.tif 000009
【図８】
2008312122.tif 000010
【図９】
2008312122.tif 000011